(57)【要約】      （修正有）【課題】眼鏡を簡単に着脱することができ、眼鏡を安定的に保持することができるとともに眼鏡を取り外してもそのまま首などからぶら下げたままでいられる眼鏡吊り下げ保持具を提供する。【解決手段】眼鏡吊り下げ保持具１００は、眼鏡の一方のテンプルが差し込まれる第１の差し込み口１１および眼鏡の他方のテンプルが差し込まれる第２の差し込み口１２が長さ方向に並んで形成された短冊状の本体部材１０と、本体部材１０の、第１の差し込み口１１に近い方の短辺に設けられた吊り下げ具２０と、を備え、第１および第２の差し込み口１１、１２に差し込まれた両テンプルが畳まれた状態で眼鏡を保持する。【選択図】図１
0003220456.tif 000002
【実用新案登録請求の範囲】
【請求項１】
眼鏡の一方のテンプルが差し込まれる第１の差し込み口および眼鏡の他方のテンプルが差し込まれる第２の差し込み口が長さ方向に並んで形成された短冊状の本体部材と、
前記本体部材の，前記第１の差し込み口に近い方の短辺に設けられた吊り下げ具と、を備え、
前記第１および第２の差し込み口に差し込まれた両テンプルが畳まれた状態で眼鏡を保持する眼鏡吊り下げ保持具。
【請求項２】
前記第１の差し込み口の形状が、前記本体部材の幅の３分の２程度の幅の略矩形であり、
前記第２の差し込み口の形状が、前記第１の差し込み口よりも小さい略円形である
ことを特徴とする請求項１に記載の眼鏡吊り下げ保持具。
【請求項３】
前記本体部材が適度な撓り特性を有する材料で形成されている
ことを特徴とする請求項１または２に記載の眼鏡吊り下げ保持具。
【考案の詳細な説明】
【技術分野】
【０００１】
本考案は、眼鏡を首などから吊り下げて携帯するのに使用される眼鏡吊り下げ保持具に関する。
【背景技術】
【０００２】
不要の際に取り外した眼鏡をその都度ポケットや眼鏡ケースなどにしまい込む面倒をなくすため、眼鏡を首から吊り下げることができるようにした眼鏡吊り下げ保持具が知られている。典型的には、眼鏡吊り下げ保持具は、眼鏡の左右のテンプルに着脱自在な眼鏡保持部をチェーンなどの紐状体の両端に備えており、首にかけたままの状態で眼鏡のかけ外しができるようになっている（例えば特許文献１参照）。
【先行技術文献】
【特許文献】
【０００３】
【特許文献１】特開２００１−３５６３０６号公報
【考案の概要】
【考案が解決しようとする課題】
【０００４】
上記のチェーンタイプの眼鏡吊り下げ保持具は、常時着用される視力矯正眼鏡ではなく頻繁にかけ外しが行われるリーディンググラスに主に用いられる。このため、リーディンググラス以外の眼鏡、例えばサングラスやファッション眼鏡にチェーンタイプの眼鏡吊り下げ保持具を取り付けると非常に違和感があり、使用がためらわれる。
【０００５】
さらに、チェーンタイプの眼鏡吊り下げ保持具は眼鏡に取り付けたまま使用することを前提としているため、眼鏡を安定的に保持することができる反面、眼鏡を眼鏡吊り下げ保持具から外して着用しようとする場合には眼鏡からチェーンを取り外すのに手間がかかる。また、眼鏡を取り外したチェーンはそのまま首にぶら下げておくことはできないためどこかに収納しなければならない。そして、眼鏡吊り下げ保持具を再度使用する場合には、再びチェーンを取り出して眼鏡の左右のテンプルに取り付け直さなければならず手間である。
【０００６】
上記問題に鑑み、本考案は、眼鏡を簡単に着脱することができ、眼鏡を安定的に保持することができるとともに眼鏡を取り外してもそのまま首などからぶら下げたままでいられる眼鏡吊り下げ保持具を提供することを目的とする。
【課題を解決するための手段】
【０００７】
本考案の一局面に従った眼鏡吊り下げ保持具は、眼鏡の一方のテンプルが差し込まれる第１の差し込み口および眼鏡の他方のテンプルが差し込まれる第２の差し込み口が長さ方向に並んで形成された短冊状の本体部材と、本体部材の，第１の差し込み口に近い方の短辺に設けられた吊り下げ具と、を備え、第１および第２の差し込み口に差し込まれた両テンプルが畳まれた状態で眼鏡を保持するものである。
【０００８】
具体的には、上記眼鏡吊り下げ保持具において、第１の差し込み口の形状が、本体部材の幅の３分の２程度の幅の略矩形であってもよく、第２の差し込み口の形状が、第１の差し込み口よりも小さい略円形であってもよく。
【０００９】
また、具体的には、上記眼鏡吊り下げ保持具において、本体部材が適度な撓り特性を有する材料で形成されていてもよい。
【考案の効果】
【００１０】
本考案によると、眼鏡を簡単に着脱することができ、眼鏡を安定的に保持することができるとともに眼鏡を取り外してもそのまま首などからぶら下げたままでいることができる。
【図面の簡単な説明】
【００１１】
【図１】本考案の一実施形態に係る眼鏡吊り下げ保持具の斜視図
【図２】本考案の一実施形態に係る眼鏡吊り下げ保持具の平面図
【図３】本考案の一実施形態に係る眼鏡吊り下げ保持具の側面図
【図４】本考案の一実施形態に係る眼鏡吊り下げ保持具に眼鏡を保持させた状態を示す図
【考案を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、考案者は、当業者が本考案を十分に理解するために添付図面および以下の説明を提供するのであって、これらによって実用新案登録請求の範囲に記載の主題を限定することを意図するものではない。また、図面に描かれた各部材の寸法、厚み、細部の詳細形状などは実際のものとは異なることがある。
【００１４】
≪構成例≫
図１は、本考案の一実施形態に係る眼鏡吊り下げ保持具の斜視図である。図２は、本考案の一実施形態に係る眼鏡吊り下げ保持具の平面図である。図３は、本考案の一実施形態に係る眼鏡吊り下げ保持具の側面図である。
【００１５】
本実施形態に係る眼鏡吊り下げ保持具１００は、短冊状の本体部材１０と、吊り下げ具２０とから構成される。
【００１６】
本体部材１０の全長はおよそ８３［ｍｍ］、全幅はおよそ３０［ｍｍ］、厚みはおよそ４［ｍｍ］である。本体部材１０の一短辺に吊り下げ具２０が設けられており、当該短辺の両角は吊り下げ具２０の直径分だけ角取りされている。
【００１７】
例えば、本体部材１０は、長尺の皮革材を半分に折り曲げて貼り合わせて形成することができる。すなわち、本体部材１０は、適度な撓り特性を有する材料で形成されている。
【００１８】
吊り下げ具２０は、具体的には直径がおよそ２［ｍｍ］の金属製のＤ環である。吊り下げ具２０にネックストラップやカラビナなどを繋げることで、眼鏡吊り下げ保持具１００を首や腰からぶら下げることができる。
【００１９】
なお、本体部材１０を長尺の皮革材を半分に折り曲げて貼り合わせて形成する場合、Ｄ環の直線部を巻き込むように比較材を折り曲げることで吊り下げ具２０が本体部材１０に取り付けられる。
【００２０】
本体部材１０に、眼鏡の左右のテンプルを差し込むための二つの開口部、すなわち、第１の差し込み口１１と、第２の差し込み口１２とが長さ方向に並んで形成されている。
【００２１】
第１の差し込み口１１は、縦がおよそ１７［ｍｍ］、横がおよそ２０［ｍｍ］の略矩形の形状をしている。すなわち、第１の差し込み口１１の形状は、本体部材１０の幅の３分の２程度の幅の略矩形である。
【００２２】
第１の差し込み口１１は、本体部材１０の幅中心の位置、かつ、本体部材１０において吊り下げ具２０が取り付けられている方の短辺からおよそ１４［ｍｍ］のオフセット位置に設けられている。
【００２３】
一方、第２の差し込み口１２は、直径がおよそ１５［ｍｍ］の略円形の形状をしている。すなわち、第２の差し込み口１２の形状は、第１の差し込み口１１よりも小さい略円形である。
【００２４】
第２の差し込み口１２は、本体部材１０の幅中心の位置、かつ、本体部材１０において吊り下げ具２０がない方の短辺からおよそ５［ｍｍ］のオフセット位置に設けられている。
【００２５】
すなわち、第１の差し込み口１１と第２の差し込み口１２には、およそ３２［ｍｍ］のギャップ（両中心間はおよそ４８［ｍｍ］のギャップ）がある。
【００２６】
≪使用例≫
図４は、本考案の一実施形態に係る眼鏡吊り下げ保持具１００に眼鏡を保持させた状態を示す図である。眼鏡吊り下げ保持具１００に眼鏡を保持させるには、まず、眼鏡の左右のテンプルを第１の差し込み口１１と第２の差し込み口１２とのギャップ程度にまで閉じて、左右のテンプルの先端、すなわち、左右のモダンをそれぞれ第１の差し込み口１１および第２の差し込み口１２に差し込む。ここで、第１の差し込み口１１および第２の差し込み口１２に差し込むのは左右いずれのモダンでもよい。
【００２７】
左右のモダンを第１の差し込み口１１および第２の差し込み口１２に差し込んだならば、第１の差し込み口１１に差し込んだ方のテンプルを根元、すなわち、ヒンジの部分まで差し込む。これにより、図４に示したように、第１の差し込み口１１および第２の差し込み口１２に通された両テンプルが畳まれた状態で眼鏡が保持される。
【００２８】
眼鏡が保持された状態において、第１の差し込み口１１には一方のテンプルのヒンジ部分がほぼ折り畳まれた状態の引っ掛かっており、第２の差し込み口１２には他方のテンプルの先端部分がほぼ折り畳まれた状態で引っ掛かっている。このため、眼鏡吊り下げ保持具１００に多少の振動が加わっても、畳まれた状態の両テンプルが開きにくくなっており、その結果、眼鏡を安定的に保持することができる。
【００２９】
また、本体部材１０を適度な撓り特性を有する材料で形成し、第１の差し込み口１０の幅を本体部材１０の幅の３分の２程度にしていることで、眼鏡吊り下げ保持具１００に大きな振動が加わった場合には、第１の差し込み口１１の両側のおよそ５［ｍｍ］幅の弱肉部が大きく撓んで第２の差し込み口１２への振動の影響が軽減される。これにより、眼鏡吊り下げ保持具１００に大きな振動が加わっても、第２の差し込み口１２に通されたテンプルの先端部分が外れにくくなっており、安定的に眼鏡を保持することができる。
【００３０】
なお、眼鏡吊り下げ保持具１００から眼鏡を取り外すには、上記と逆の手順を踏むこととなる。すなわち、第１の差し込み口１１に根元まで通されたテンプルを引き出し、眼鏡の左右のテンプルを第１の差し込み口１１と第２の差し込み口１２とのギャップ程度にまで開いて、左右のモダンを第１の差し込み口１１および第２の差し込み口１２から引き抜く。
【００３１】
≪効果≫
本実施形態に係る眼鏡１００は、眼鏡を簡単に着脱することができ、眼鏡を安定的に保持することができるとともに眼鏡を取り外してもそのまま首などからぶら下げたままでいることができる。
【００３２】
≪変形例≫
第２の差し込み口１２の形状は略円形であるとしたが、矩形であっても、多角形であってもよい。
【００３３】
また、吊り下げ具２０を本体部材１０と別部材にせずに、吊り下げ具２０を本体部材１０を同じ材料で一体形成するようにしてもよい。
【００３４】
以上のように、本考案における技術の例示として、実施の形態を説明した。そのために、添付図面および詳細な説明を提供した。
【００３５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３６】
また、上述の実施の形態は、本考案における技術を例示するためのものであるから、実用新案登録請求の範囲またはその均等の範囲において種々の変更、置き換え、付加、省略などを行うことができる。
【符号の説明】
【００３７】
１００…眼鏡吊り下げ保持具、１０…本体部材、１１…第１の差し込み口、１２…第２の差し込み口、２０…吊り下げ具
【図１】
0003220456.tif 000003
【図２】
0003220456.tif 000004
【図３】
0003220456.tif 000005
【図４】
0003220456.tif 000006